(57)【要約】【課題】隠蔽タイプの部材固定装置において、壁面に対する棚板の固定強度を向上させ、重量のある部材の載置を可能にすることができる壁面への部材取付け装置を提供する。【解決手段】止具６を用いて壁面Ａに固定することにより垂直方向の荷重を支持する第１の支持部材１と、この第１の支持部材１に設けた支持部５に対して嵌め込むことで支持され、壁面Ａにピン１３を用いて固定することにより水平方向の荷重を支持する第２の支持部材２からなり、前記第２の支持部材２の係止片１１に被取付け物のベース部材を係止することにより、壁面Ａに対する被取付け物の取付けを行い、第１の支持部材１で垂直方向の荷重を、第２の支持部材２で水平方向の荷重を分担して支持する。【選択図】図１
2014033828.tif 000002
【特許請求の範囲】
【請求項１】
下部の前面側に支持部が設けられ、止具を用いて壁面に固定することにより垂直方向の荷重を支持する第１の支持部材と、前記支持部に対して嵌め込むことで支持される取付け板部と、この取付け板部の上部に起立するよう設けた係止片を備え、前記取付け板部が前記支持部で支持された状態で、壁面に止着具を用いて固定することにより水平方向の荷重を支持する第２の支持部材からなる壁面への部材取付け装置。
【請求項２】
上記第１の支持部材は、上下に長い固定板の下端部に鉤状の支持部を設けて形成され、前記固定板に止具を壁面に対して打ち込むための固定孔が設けられている請求項１に記載の壁面への部材取付け装置。
【請求項３】
上記第２の支持部材は、上記第１の支持部材の支持部に上部からの挿入によって支持される取付け板部と、この取付け板部の上端に設けられた係止片と、前記取付け板部と連なる状態で形成された座面とからなり、前記座面に壁面へ打ち込む止着具の挿入孔が設けられている請求項１に記載の壁面への部材取付け装置。
【請求項４】
上記座面に、上記取付け板部の下端よりも下方に延びて壁面に重なる回転モーメント支持部分を設けた請求項３に記載の壁面への部材取付け装置。
【請求項５】
下部の前面側に支持部が設けられ、止具を用いて壁面に固定することにより垂直方向の荷重を支持する第１の支持部材と、前記支持部に対して嵌め込むことで支持される取付け板部と、この取付け板部の上部に起立するよう設けた係止片を備え、前記取付け板部が前記支持部で支持された状態で、壁面に止着具を用いて固定することにより水平方向の荷重を支持する第２の支持部材と、前記壁面に対する被取付け物に固定され、前記第２の支持部材の係止片に係止することにより、この第２の支持部材に取付けられるベース部材とからなる壁面への部材取付け装置。
【発明の詳細な説明】
【技術分野】
【０００１】
この発明は、壁面に棚板やボックス等を固定するための部材取付け装置、更に詳しくは、石膏ボードを用いて形成された壁面に装飾部材や小物部材を載置する比較的小型の棚板やボックス等の被取付け物を、壁面に対して簡単に能率よく強固に固定することのできる壁面への部材取付け装置に関する。
【背景技術】
【０００２】
例えば、石膏ボードを用いて形成された壁面に比較的小型の被取付け物を固定し、この被取付け物上に装飾部材や小物部材を載置して飾ることで、室内空間を有効に利用して装飾性や美観、収納性を向上させるようにすることがすでに行われている。
【０００３】
従来、石膏ボードの中空壁面に被取付け物を固定する場合の部材固定装置には、壁面に固定する棚受けからなり、この棚受け上に被取付け物を載置固定する露見タイプと、壁面に固定した状態で被取付け物を取付けると、前記被取付け物で覆われて見えなくなる構造の隠蔽タイプに大別することができる。
【０００４】
前者の棚受けを用いた露見タイプの部材固定装置は、断面Ｌ字形に形成した棚受け金具の垂直片を壁面に重ね、棚受け金具から壁面に向けてピンを斜め下向きに向けて打ち込むことによって棚受け金具を固定し、この後、棚受け金具の水平片に被取付け物をビス止め固定する構造になっている（例えば特許文献１参照）。
【０００５】
後者の隠蔽タイプの部材固定装置は、壁面に固定するブラケット金具と被取付け物側に設けた係止金具の組み合わせからなり、壁面に重ねたブラケット金具を壁面に向けて斜め下向きに向けて打ち込んだピンによって固定し、被取付け物の垂直部分と一体又はこの垂直部分にビス止め固定することによって設けた係止金具を、前記ブラケット金具に係止することにより、部材固定装置を垂直部分で隠蔽した状態で、壁面に被取付け物を固定するようになっている（例えば特許文献２参照）。
【０００６】
なお、特許文献２では、壁面にブラケット金具をビスで固定しているが、石膏ボードのように脆い材質の壁面に固定する場合、ビスをねじ込んでも効かないので、特許文献１で示されているように、石膏ボードの壁面には、ピンを斜め下向きに打ち込んでブラケット金具を壁面に固定する方法が採用される。
【０００７】
上記した従来の部材固定装置において、後者の隠蔽タイプは壁面に固定した被取付け物で部材固定装置が隠蔽されるので、前者の棚受けを用いた部材固定装置に比べ、被取付け物取付け後の仕上がりが見た目にスッキリとなり、部材固定装置が見えないことにより美観を向上させることができるという点で優れている。
【先行技術文献】
【特許文献】
【０００８】
【特許文献１】特開２０００−３３０２０号公報
【特許文献２】特開平１１−２６２４２０号公報
【発明の概要】
【発明が解決しようとする課題】
【０００９】
ところで、特許文献２で示した部材固定装置において、壁面に対して被取付け物を固定した状態で部材固定装置に作用する荷重は、被取付け物の重量にこの被取付け物上に載置した装飾部材や小物部材の重量の合計となり、被取付け物が部材固定装置で片持ち構造になっているので、前記荷重は、ブラケット金具を押し下げる垂直荷重と、ブラケット金具を壁面に固定するピンを引き抜き方向に作用する水平荷重とに分けることができ、この水平荷重は、ブラケット金具の壁面に重なる下縁を支点としてブラケット金具を壁面から離反させる回転モーメントとなる。
【００１０】
上記垂直荷重は、ブラケット金具を壁面に沿って押し下げるように作用することになるが、この垂直荷重に対しては、ブラケット金具を壁面に固定するピンを壁面に対して斜め下向きの傾斜状に打ち込むことによって支持力を得ることができるようにしている。
【００１１】
また、上記回転モーメントは、被取付け物自身の重量と被取付け物上に載置した装飾部材や小物部材の重量からなり、この回転モーメントは、被取付け物の上面に載置した部材の壁面からの載置位置によって変動することになるが、何れにしても前記回転モーメントは、上部の位置をピンで壁面に固定したブラケット金具において、ブラケット金具の壁面への重なり面における下縁を支点として、ブラケット金具の上部を壁面から離反させるように働き、ピンに対してこれを引き抜く方向に作用することになる。
【００１２】
上記のように、ブラケット金具を固定するピンには、垂直荷重と回転モーメントの双方が同時に作用するので、垂直荷重と回転モーメントの双方を担持しなければならず、このような異なる方向の荷重がピンに作用することで、ピンを支持する壁材に局部的な集中した負担がかかり、石膏ボードのように脆い性質の壁材では、局部的な集中した荷重が加わることでピン支持部分が経時的に変形し、ピンの耐引抜力が低下することで被取付け物の固定強度が弱くなる。
【００１３】
このため、従来の隠蔽タイプの部材固定装置は、経時的な固定強度の低下により、壁面に対する被取付け物固定の信頼性が低いだけでなく、これが原因で重量のある部材を載置することができないという問題がある。
【００１４】
また、壁材のピン支持部分に局部的な集中した荷重が加わることで、壁材に経時的な変形が生じると、被取付け物を取り外した場合の壁面に生じるピン抜き跡が大きくなり、これが目立つことで壁面の美観を低下させることになる。
【００１５】
そこで、この発明の課題は、隠蔽タイプの部材固定装置において、垂直荷重と水平荷重を分離して支持するようにし、ピンによる壁材にかかる負担を少なくすることで、壁面に対する被取付け物の固定強度を向上させ、重量のある部材の載置を可能にすることができ、更に、負荷の分散により、被取付け物の取り外し後におけるピン抜き跡を小さくして目立たなくすることができる壁面への部材取付け装置を提供することにある。
【課題を解決するための手段】
【００１６】
上記のような課題を解決するため、この発明は、下部の前面側に支持部が設けられ、止具を用いて壁面に固定することにより垂直方向の荷重を支持する第１の支持部材と、前記支持部に対して嵌め込むことで支持される取付け板部と、この取付け板部の上部に起立するよう設けた係止片を備え、前記取付け板部が前記支持部で支持された状態で、壁面に止着具を用いて固定することにより水平方向の荷重を支持する第２の支持部材からなる構造としたものである。
【００１７】
上記第１の支持部材は、上下に長い固定板の下端部に鉤状の支持部を設けて形成され、前記固定板に止具を壁面に対して打ち込むための固定孔が設けられているようにすることができる。
【００１８】
上記第２の支持部材は、上記第１の支持部材の支持部に上部からの挿入によって支持される取付け板部と、この取付け板部の上端に設けられた係止片と、前記取付け板部と連なる状態で形成された両側の座面とからなり、前記両側座面に壁面へ打ち込む止着具の挿入孔が設けられている構造とすることができる。
【００１９】
上記両側座面に、上記取付け板部の下端よりも下方に延びて壁面に重なる回転モーメント支持部分を設けることができる。
【００２０】
更に、下部の前面側に支持部が設けられ、止具を用いて壁面に固定することにより垂直方向の荷重を支持する第１の支持部材と、前記支持部に対して嵌め込むことで支持される取付け板部と、この取付け板部の上部に起立するよう設けた係止片を備え、前記取付け板部が前記支持部で支持された状態で、壁面に止着具を用いて固定することにより水平方向の荷重を支持する第２の支持部材と、前記壁面に対する被取付け物に固定され、前記第２の支持部材の係止片に係止することにより、この第２の支持部材に取付けられるベース部材とからなる構造とすることができる。
【００２１】
ここで、上記第１の支持部材は、固定板の上部位置に設けた固定孔から細幅の帯板を用いて形成した止具を壁面に打ち込むことによって壁面に対して固定され、垂直荷重を効果的に支持することができるようになっている。
【００２２】
また、上記した第１の支持部材の支持部は、固定板の下端延長を前面側の上部に折り返して鉤状にする方法、固定板の下端延長部分に施した切れ目で囲まれた部分を前面側の上部に折り返して鉤状にする方法、固定板の下端で前面に別の部材を溶接により固定して鉤状にする方法等を用いて形成することができる。
【００２３】
上記第２の支持部材における座面は、取付け板部を挟む両側に位置し、前記取付け板部と連なる状態で平行状の配置に設けられ、この両側座面には壁面に対して打ち込む止着具の挿入孔が設けられている。
【００２４】
この両側座面は、上端を連結部で結合することにより強度の向上を図ることができ、また、両側座面の下端をつなぐ部分が、取付け板部の下端よりも下方に位置させることで壁面に重なる回転モーメント支持部分になっている。
【発明の効果】
【００２５】
この発明によると、壁面に固定された状態で垂直方向の荷重を支持する第１の支持部材で、水平方向の荷重を支持するための第２の支持部材を支持するようにしたので、壁面への被取付け物の取付け状態において、被取付け物の自重とその載置物の重量による荷重の内、垂直荷重を第１の支持部材で、また、水平方向の荷重を第２の支持部材でそれぞれ分散して支持することができ、このような荷重の分散支持により、第１の支持部材を壁面に固定する止具及び第２の支持部材を壁面に固定する止着具のそれぞれに作用する荷重の単一化が図れ、これにより、止具や止着具とこれを支持する壁材にかかる負担を少なくすることで、被取付け物の壁面に対する固定強度を向上させ、被取付け物に対して重量のある装飾部材や小物部材を載置することができるようになる。
【００２６】
また、第２の支持部材に、取付け板部よりも下方に伸延して壁面に重なる回転モーメント支持部分を設けることにより、被取付け物の壁面に対する取付け状態において、前記取付け板部の下端を支点として第２の支持部材を前傾させようとする水平方向の荷重を、前記回転モーメント支持部分の壁面への圧接によって支持することができ、これにより、止着具とこれを支持する壁材にかかる負担を少なくし、壁面に対する取付け強度の向上が図れると共に、被取付け物の取り外し後における止着具抜き跡を小さくして目立たなくすることができる。
【図面の簡単な説明】
【００２７】
【図１】この発明の部材取付け装置を形成する第１の支持部材と第２の支持部材の分解斜視図
【図２】この発明の部材取付け装置における第１の支持部材を示す他の例の分解斜視図
【図３】この発明発明の部材取付け装置を形成するベース部材と被取付け物の関係を示し、図中の右側にベース部材を被取付け物に固定した状態を示し、左側にベース部材と被取付け物の分解した状態を示す斜視図
【図４】（ａ）は第１の支持部材を壁面に固定した状態の縦断側面図、（ｂ）は第１の支持部材と第２の支持部材を壁面に固定した状態の縦断側面図
【図５】第１の支持部材と第２の支持部材を壁面に固定した状態の上下中心線に沿った部分での縦断側面図
【図６】第１の支持部材と第２の支持部材及びベース部材の係止状態を示す斜視図
【図７】この発明の部材取付け装置用いて壁面に被取付け物である棚板やボックスを固定した状態を示す斜視図
【発明を実施するための形態】
【００２８】
以下、この発明の実施の形態を添付図面に基づいて説明する。
【００２９】
この発明の部材取付け装置ａは、図１のように、壁面Ａに固定する垂直荷重支持用の第１の支持部材１と、この第１の支持部材１に係止した状態で同じく壁面Ａに固定する水平荷重支持用の第２の支持部材２の組み合わせによって形成され、棚板やボックス等の被取付け物を前記第２の支持部材２に係止することで、壁面Ａに対して取付けるようになっている。
【００３０】
上記第１の支持部材１は、上下に長い帯状金属板を用いた固定板４の下部で前面側に鉤状の支持部５を設け、前記固定板４の上部に止具６を壁面に対して打ち込むための固定孔７を設けて形成されている。
【００３１】
上記支持部５は、図１の場合、固定板４の下端延長を前面の上側に折り返して前面板４ａとすることにより、第２の支持部材２の板厚が収まる側面視Ｕ字状となる鉤状に形成したが、この支持部５は第２の支持部材２の板厚が収まる形状であればよく、例えば、固定板の下端で前面にＬ形のような別の部材を溶接により固定して鉤状にする構造を採用して形成することができる。
【００３２】
この支持部５は、対向面の内側間隔を第２の支持部材２の板厚よりもやや狭くしたり、前面板４ａを湾曲形状とすることにより、前面板４ａとの弾性によって、嵌め込んだ第２の支持部材２にガタツキが生じにくくなるようにできる。
【００３３】
また、図１のように、前面板４ａに対向面の内側へ向けて突出するよう打ち出した突部８や、これとは別に、前面板４ａに固定板４側へ突出する切り起こし弾性片を設け、上記したと同様のガタツキ防止効果が得られるようにしてもよい。
【００３４】
上記した固定板４の上部に設けた固定孔７は、図示の場合、角孔に形成されて上下二箇所の位置に配置され、この固定孔７から壁面Ａに打ち込む止具６は、両端を先鋭とした細幅帯板を折り曲げて脚部が二叉となるコ字状に形成され、上下の固定孔７に対して同時に水平に打ち込み、固定板４の上下固定孔７間の部分を押圧することにより、壁面Ａに対して第１の支持部材１を固定し、止具６の水平打ち込みと細幅線材の構造によって垂直荷重を効果的に支持することができるようになっている。なお、上記した止具６は、ピンのように一つ一つ独立したものを用いるようにしてもよいし、固定孔７は一つだけ設けるようにしてもよい。
【００３５】
図２は、上記した第１の支持部材１における他の例を示し、矩形状となる固定板４の中央位置に下向きコ字状の切れ目や溝を設け、この切れ目や溝で囲まれた部分を固定板４の前面側へフック状に切り起こして前面板４ａとすることで、固定板４との間に第２の支持部材２の板厚が収まる間隔となる支持部５を形成し、前記固定板４の上部に止具６を壁面に対して打ち込むための固定孔７を設け、前記固定板４の両側に、支持部５に嵌め込んだ第２の支持部材２のガタツキ発生を防ぐための突部８を設けた構造になっている。
【００３６】
なお、図２の場合、固定孔７を一つとし、一つの平板止具６を用いる例を示したが、固定孔７と止具６に関しては図１に示したものと同様の構造を採用してもよい。また、突部８は、図１に示したものと同様、支持部５を形成する前面板４ａに設けるようにしてもよい。
【００３７】
上記第２の支持部材２は、図１に示すように、第１の支持部材１の支持部５に嵌る板厚の金属板を用い、前記支持部５に挿入する取付け板部１０と、前記取付け板部１０の上端に設けた係止片１１と、前記取付け板部１０と連なり、この取付け板部１０が前記支持部５で支持された状態で、壁面Ａに止着具１３を用いて固定する両側で一対となる座面９ａ、９ａとで構成されている。
【００３８】
上記した一対の座面９ａ、９ａは、上下に長い帯板状に形成されて取付け板部１０を挟む両側に位置し、前記取付け板部１０と連なる状態で平行状の配置に設けられ、この両側座面９ａ、９ａの上下端部には壁面Ａに対する固定部分１２が設けられている。
【００３９】
上記取付け板部１０は、第１の支持部材１と略等しい幅と、上端が上部の固定部分１２より下側に位置し、下端が下部の固定部分１２と同じような位置になる上下長さを有する矩形板に形成され、その両側から後方へ広がり状に傾斜する接続片１５が両側の座面９ａ、９ａと連なることで、前記取付け板部１０と両側座面９ａ、９ａは同じ金属板から正面視Ｈ字状となるよう一体に形成され、両側座面９ａ、９ａに対して取付け板部１０は、第１の支持部材１の板厚分だけ前方に位置している。
【００４０】
この取付け板部１０の上端に一体となって設けられた係止片１１は、取付け板部１０の上端から斜め前方に向かう屈曲部１１ａと、この屈曲部１１ａの先端から上方に向けて立ち上がり、上部が少し前方に傾斜する舌片１１ｂとで形成されている。
【００４１】
上記両側座面９ａ、９ａに設けた固定部分１２は、両側座面９ａ、９ａの上端と下端を前面側に突出するよう台形状やＶ字状に折り曲げることで形成され、各固定部分１２における上部片１２ａが所定の角度で斜め前方下がりに傾斜し、上部片１２ａに止着具であるピン１３を壁面Ａに対して斜めに打ち込むための挿入孔１４が設けられている。
【００４２】
ここで、固定部分１２における上部片１２ａの所定の角度とは、ピン１３の打ち込み角度と直交する角度である。なお、ピン１３の打ち込み角度においては、壁面Ａに対して３０°〜６０°であって、より好ましくは壁面Ａに対して４５°が好ましい。
【００４３】
図１のように、上記した両側座面９ａ、９ａは、上端を上部接続部９ｂで結合して一体化することにより、両側座面９ａ、９ａに加わる力を分散させて強度の向上を図ることができる。
【００４４】
更に、両側座面９ａ、９ａの下端を下部接続部９ｃで結合して一体化することにより、上記上部接続部９ｂと同様、両側座面９ａ、９ａに加わる力を分散させることができ、このとき、下部接続部９ｃを上向きコ字板にして取付け板部１０の下端よりも下方に延びた形状とすることにより、壁面Ａに重なる回転モーメント支持部分１６となり、また、両側座面９ａ、９ａと上部接続部９ｂ及び下部接続部９ｃが矩形枠体９となる一体構造となり、第２の支持部材２の全体強度を向上させると共に、回転モーメント支持部分１６の形成により、第２の支持部材２に加わる水平荷重によって生じる回転モーメントの支持力に対しても優れたものとなる。
【００４５】
壁面Ａに対して取付ける被取付け物Ｂには、上記第２の支持部材２の係止部１１に対して係止するベース部材３が背面側の位置に固定される。
【００４６】
このベース部材３は、図３と図６にその一例を示し、第２の支持部材２に見合う幅と必要な上下長さを有する矩形状の金属板を用いて基板３ａとし、基板３ａの四隅の位置に被取付け物Ｂに固定するビス１７の挿通孔１８を設け、この基板３ａに第２の支持部材２の係止片１１に対して外嵌する切り欠き部１９を下縁で開放するように設け、前記切り欠き部１９の上縁が第２の支持部材２の係止片１１に対する係合部２０に形成され、更に基板３ａの前記切り欠き部１９を挟む両側の位置に、第２の支持部材２の両側座面９ａ、９ａに対する弾性押圧片２１を設けた構造になっている。
【００４７】
上記ベース部材３に設けた切り欠き部１９の幅は、上記取付け板部１０より少し広い幅に形成され、この切り欠き部１９を係止片１１の背面側に上から差し込めば、切り欠き部１９の上縁に形成した係合部２０が、係止片１１の下端屈曲部１１ａで支持され、ベース部材３は第２の支持部材２に前後及び左右に移動しないように取付けられる。
【００４８】
上記係合部２０の両側に、隣接する側縁が下部広がりの傾斜縁となる一対の先鋭突起２２が設けてあり、ベース部材３の係合部２０を第２の支持部材２の係止片１１に係止するとき、両先鋭突起２２の内側傾斜縁が係止片１１の下端屈曲部１１ａへ外接して誘導することにより、第２の支持部材２とベース部材３の上下方向の中心線が前後に重なり状となる幅方向の位置決めを行い、同時に第２の支持部材２に対してベース部材３を幅方向に安定させることになる。
【００４９】
このベース部材３の切り欠き部１９を挟む両側に設けた弾性押圧片２１は、基板３ａに施した切れ目と切り欠き部１９で囲まれた部分を前面側へ湾曲状に切り起こすことによって、上下方向に長い帯板状に形成され、ベース部材３を第２の支持部材２に係止したとき、固定用枠体９の両側座面９ａ、９ａの前面に圧接することにより、ベース部材３を前方に押して係止片１１の背面に押圧させ、第２の支持部材２に取付けたベース部材３に前後方向のガタツキが生じないようにする。
【００５０】
また、ベース部材３を係止片１１に嵌め込む途中において、弾性押圧片２１は、第２の支持部材２の上部の固定部分１２を通過するとき押し戻され、係止片１１にベース部材３が収まって上部の固定部分１２を通過すれば復帰し、この復帰時に固定用枠体９の両側座面９ａ、９ａの前面を叩くことで衝撃音が発生し、この衝撃音で嵌め合わせの完了を確認することができる。
【００５１】
この弾性押圧片２１は、第２の支持部材２にベース部材３を係止したとき、第２の支持部材２とベース部材３を互いに離す方向の反する力が作用し、両者間のガタツキ発生がないだけでなく、第２の支持部材２と壁面の一体感が強くなり、また、第２の支持部材２の固定用枠体９を壁面Ａに固定するピン１３に適度な荷重が加わることで、第２の支持部材２の緩みやガタツキの発生を防止することができる。
【００５２】
なお、ベース部材３は、図示のような構造に限るものではなく、被取付け物Ｂに固定した状態で、第２の支持部材２における係止片１１に係止することができるものであればよい。
【００５３】
この発明の部材取付け装置ａは、上記のような構成であり、例えば、石膏ボードを用いた壁面Ａに小形の棚板やボックス等の被取付け物Ｂを取付ける場合に用いる。
【００５４】
図３のように、被取付け物Ｂの背面で所定の距離を隔てた両側の位置に、ベース部材３の板厚が収まる深さを有する上下に長い矩形状の第１の凹部２３と、この第１の凹部２３内で幅方向の中央に位置し、係止部１１が収まる深さを有する上下に長い第２の凹部２４を設け、図３の右側に示したように、第１の凹部２３に嵌め込んだベース部材３を、四隅の挿通孔１８からねじ込んだビス１７により被取付け物Ｂに対して予め固定しておく。
【００５５】
壁面Ａに被取付け物Ｂを取付けるには、壁面Ａの所望する高さにおいて、被取付け物Ｂに固定した上記ベース部材３の配置間隔に一致する両側二箇所の位置に、それぞれ第１の支持部材１と第２の支持部材２を以下のように固定する。
【００５６】
先ず、壁面Ａに対して第１の支持部材１の固定板４を重ね、垂直の配置にした状態で上下の固定孔７から壁面Ａに止具６を水平に打ち込むことにより、壁面Ａに第１の支持部材１を垂直の姿勢に固定する（図４ａ参照）。
【００５７】
図１に示した例のように、上記止具６を平板線材からコ字状に折り曲げて形成し、これを角孔である上下の固定孔７から壁面Ａに対して水平状態に打ち込み、壁面Ａに第１の支持部材１を固定すると、支持部５に加わる下向きの垂直荷重に対する支持強度が優れたものとなる。
【００５８】
次に、第２の支持部材２を上記第１の支持部材１の前面上部に臨ませ、固定用枠体９を第１の支持部材１に被せるようにしながら第２の支持部材２を下方に移動させ、固定用枠体９の内側に位置する取付け板部１０を、第１の支持部材１の支持部５内に上から差込み、取付け板部１０の下端を支持部５内の底面に当接させて係止させることにより、第１の支持部材１で第２の支持部材２を支持する。
【００５９】
このとき、支持部５を形成する前面板４ａの弾性又はこれに設けた突部８が、取付け板部１０を壁面Ａ側に向けて押圧することで、第２の支持部材２の両側座面９ａ、９ａを壁面Ａに当接させ、同時に第１の支持部材１に対して第２の支持部材２をガタツキの発生がないよう係止することができる。
【００６０】
第１の支持部材１への係止によって支持された第２の支持部材２は、固定用枠体９を壁面Ａに押し当てた状態で、この固定用枠体９の両側座面９ａ、９ａの上下端に設けた各固定部１２において、挿入孔１４から壁面Ａに向けてピン１３を斜め下向きに打ち込み、壁面Ａに対して第２の支持部材２を固定する。（図４ｂ）
【００６１】
上記第２の支持部材２は、両側座面９ａ、９ａの上下端に設けた各固定部１２で上下にピン１３を斜め下向きに打ち込むことにより、水平荷重に対する支持強度は優れているが、この第２の支持部材２は、取付け板部１０の下端縁が支持部５の底部で支持されることにより、前記第２の支持部材２に加わる下向きの垂直荷重を第１の支持部材１で支持することができ、ピン１３と壁面Ａのこれを支持する部分に、垂直荷重の負担がかからないように軽減することができる。
【００６２】
上記のようにして壁面Ａの二箇所の位置に、第１の支持部材１とこれに係止した第２の支持部材２をそれぞれ固定した後、被取付け物Ｂを壁面Ａの前面に位置させ、被取付け物Ｂの背面で両側位置に固定したベース部材３を対応する第２の支持部材２の前面上部に臨ませ、背面を壁面Ａに当接させるようにしながら被取付物Ｂを下降させることにより、ベース部材３に施した切り欠き部１９を第２の支持部材２の係止片１１に嵌め合わせる。
【００６３】
ベース部材３が係止片１１の背面側に位置するように、切り欠き部１９を係止片１１に対して上から差し込めば、切り欠き部１９の上縁に形成した係合部２０が係止片１１の下端屈曲部１１ａで支持されることになり、図６で示したように、ベース部材３の係合部２０よりも上部の部分が係止片１１の背面側に位置する係止状態となり、ベース部材３が第２の支持部材２に前後及び左右に移動しないように固定化される。
【００６４】
また、ベース部材３を係止部１１に嵌め込む途中において、弾性押圧片２１は、第２の支持部材２の上部固定部分１２を通過するとき押し戻され、係止部１１にベース部材３が収まったときに復帰し、両側座面９ａ、９ａの前面を叩くことで衝撃音が発生し、この衝撃音で嵌め合わせの完了を確認することができる。
【００６５】
この弾性押圧片２１は、第２の支持部材２にベース部材３を係止したとき、第２の支持部材２とベース部材３を互いに離す方向の反する力が作用し、両者間のガタツキ発生がないだけでなく、第２の支持部材２と壁面Ａの一体感が強くなり、また、第２の支持部材２を壁面Ａに固定するピン１３に適度な荷重が加わることで、第２の支持部材２の緩みやガタツキの発生を防止することができる。
【００６６】
このように、ベース部材３を第２の支持部材２で支持することにより、壁面Ａに対する被取付け物Ｂの取付けが完了し、図７で示したように、被取付け物Ｂは壁面Ａに水平状態の配置で固定され、組み上がった部材取付け装置ａは被取付け物Ｂで隠蔽されることにより、外観的にスッキリとした仕上がりが得られることになる。
【００６７】
上記のような壁面Ａへの被取付け物Ｂの取付け状態において、被取付け物Ｂと載置物の合計重量による荷重は、ベース部材３を介して第２の支持部材２で支持されることになるが、前記荷重は、第２の支持部材２を引き下げる垂直荷重と、壁面Ａから前方に突出する被取付け部材Ｂの片持支持によって生じる水平荷重とからなり、前者の垂直荷重は第１の支持部材１で、後者の水平荷重は第２の支持部材２でそれぞれ分担して支持することになる。
【００６８】
第２の支持部材２に加わった前者の垂直荷重は、この第２の支持部材２を支持する第１の支持部材１に伝わり、この垂直荷重を第１の支持部材１で支持することにより、実質的に第２の支持部材２を垂直荷重の担持から開放する。
【００６９】
後者の水平荷重は、第１の支持部材１の支持部５によって支持された取付け板部１０の下端を支点として、第２の支持部材２を前傾させる方向の回転モーメントになるが、この第２の支持部材２における両側座面９ａ、９ａの下部位置は、取付け板部１０よりも下方に長く伸延して壁面Ａに重なる回転モーメント支持部分１６になっており、回転モーメントの支持力が優れている。
【００７０】
従って、第２の支持部材２に加わった回転モーメントは、上記回転モーメント支持部分１６が壁面Ａに当接して支持することで、第２の支持部材２が壁面Ａから浮いたり離脱するのを防ぐことができ、ベース部材３によって加わる荷重を受ける第２の支持部材２の係止片１１は、第２の支持部材２を壁面Ａに固定する両側上下の四本のピン１３で囲まれた中間位置に設定されているので、荷重に対してピン１３は抜けにくくなっていると共に、垂直荷重と水平荷重の分散支持により、部材取付け装置ａの荷重支持強度が向上し、重量のある被取付け物Ｂの壁面Ａへの取付や重量のある載置物の載置が可能になる。
【００７１】
また、上記のような荷重の分散支持により、壁面Ａに第１の支持部材１を固定する止具６及び、壁面Ａに第２の支持部材２を固定するピン１３に大きな負荷を加えることがなくなり、これにより、壁面Ａの止具６やピン１３を支える部分が大きく変形することがなく、従って、被取付け物Ｂを取り外した場合、壁面Ａに生じる止具６やピン１３の抜き孔が小さくなり、壁面の美観低下を防ぐことができる。
【符号の説明】
【００７２】
ａ        部材取付け装置
１        第１の支持部材
２        第２の支持部材
３        ベース部材
４        固定板
５        支持部
６        止具
７        固定孔
８        突部
９        固定用枠体
９ａ      座面
１０      取付け板部
１１      係止片
１２      固定部分
１３      ピン
１４      挿入孔
１５      接続片
１６      回転モーメント支持部分
１７      ビス
１８      挿通孔
１９      切り欠き
２０      係合部
２１      弾性押圧片
２２      先鋭突起
Ａ        壁面
Ｂ        被取付け物
【図１】
2014033828.tif 000003
【図２】
2014033828.tif 000004
【図３】
2014033828.tif 000005
【図４】
2014033828.tif 000006
【図５】
2014033828.tif 000007
【図６】
2014033828.tif 000008
【図７】
2014033828.tif 000009